(57)【要約】【課題】框の幅が細い窓や小さい窓にも、框からはみ出すことなく取り付けることのできる窓用電子錠を提供する。【解決手段】固定板２が、細長い板材から成り、支持面６２の背面６３で内側窓の縦框にその長さ方向に沿って取付可能である。取付基板１０が、固定板２の長さ方向に位置を調節して、固定板２に固定可能である。駆動装置２０が、電動装置から成る。電源収容部５０が、駆動装置２０の駆動電源５１を収容可能である。フック３０が、駆動装置２０により取付面１１の範囲から突出する施錠位置と、取付面１１の範囲に引込む解錠位置とに作動可能である。制御基板４０が、駆動装置２０を制御信号に応じて制御可能である。制御基板４０は、取付基板１０との間に駆動装置２０と電源収容部５０とフック３０とを配置させて、取付基板１０に取り付けられている。係合部材が、施錠位置のフック３０と係合するよう外側窓の縦框に取付可能である。【選択図】図６
0003110270.tif 000002
【実用新案登録請求の範囲】
【請求項１】
施錠装置と係合部材とから成り、
前記施錠装置は取付基板と駆動装置と電源収容部とフックと制御基板とを有し、
前記取付基板は取付面の背面で内側窓の縦框に取付可能に構成され、
前記駆動装置は電動装置から成り、前記取付面に取り付けられ、
前記電源収容部は前記駆動装置の駆動電源を収容可能であって、前記取付面に取り付けられ、
前記フックは前記駆動装置により前記取付面の範囲から突出する施錠位置と、前記取付面の範囲に引込む解錠位置とに作動可能に前記取付面に取り付けられ、
前記制御基板は前記駆動装置を制御信号に応じて制御可能であり、前記取付基板との間に前記駆動装置と前記電源収容部と前記フックとを配置させて前記取付基板に取り付けられ、
前記係合部材は前記施錠位置のフックと係合するよう外側窓の縦框に取付可能に構成されていることを、
特徴とする窓用電子錠。
【請求項２】
前記駆動装置は電動で伸縮可能な駆動部を有し、前記駆動部を前記取付面の中心線に沿って伸縮可能に前記取付面に取り付けられ、前記フックは前記駆動部の伸縮運動に応じて前記施錠位置と前記解錠位置とに作動可能であり、前記取付面は前記フックを前記施錠位置で前記取付面の前記中心線を挟んだ両側のうち一方から突出させるための第１取付部と、他方から突出させるための第２取付部とを有することを、
特徴とする請求項１記載の窓用電子錠。
【請求項３】
固定板を有し、前記固定板は細長い板材から成り支持面の背面で内側窓の縦框にその長さ方向に沿って取付可能に構成され、前記支持面は支持部と固定部とを有し、前記取付基板は前記固定板の長さ方向に位置を調節して前記支持部により支持可能であり、その位置で前記固定部に固定可能であることを、
特徴とする請求項１または２記載の窓用電子錠。
【考案の詳細な説明】
【技術分野】
【０００１】
本考案は、窓用電子錠に関する。
【背景技術】
【０００２】
従来の窓用電子錠として、クレセント錠の取付け具を用いて、クレセント錠に隣接して取り付けられるものや（特許文献１参照）、リモコン装置により施錠・解錠が可能で、リモコン装置の表示部に施錠表示や窓の閉め忘れに対する警報表示を行うものがある（特許文献２参照）。
【０００３】
【特許文献１】特開２００３−２２７２５９号公報
【特許文献２】特開２００３−２３２１４９号公報
【考案の開示】
【考案が解決しようとする課題】
【０００４】
しかしながら、特許文献１および２記載の窓用電子錠は、框の幅が細い窓や小さい窓に取り付けようとすると、框からはみ出してしまうため、取り付けることができないことがあるという課題があった。
【０００５】
本考案は、このような従来の課題に着目してなされたもので、框の幅が細い窓や小さい窓にも、框からはみ出すことなく取り付けることのできる窓用電子錠を提供することを目的とする。
【課題を解決するための手段】
【０００６】
上記目的を達成するために、本考案に係る窓用電子錠は、施錠装置と係合部材とから成り、前記施錠装置は取付基板と駆動装置と電源収容部とフックと制御基板とを有し、前記取付基板は取付面の背面で内側窓の縦框に取付可能に構成され、前記駆動装置は電動装置から成り、前記取付面に取り付けられ、前記電源収容部は前記駆動装置の駆動電源を収容可能であって、前記取付面に取り付けられ、前記フックは前記駆動装置により前記取付面の範囲から突出する施錠位置と、前記取付面の範囲に引込む解錠位置とに作動可能に前記取付面に取り付けられ、前記制御基板は前記駆動装置を制御信号に応じて制御可能であり、前記取付基板との間に前記駆動装置と前記電源収容部と前記フックとを配置させて前記取付基板に取り付けられ、前記係合部材は前記施錠位置のフックと係合するよう外側窓の縦框に取付可能に構成されていることを、特徴とする。
【０００７】
本考案に係る窓用電子錠は、建物への侵入を防ぐ防犯対策として、引き違い窓に取り付けられ、クレセント錠の補助錠として使用される。施錠装置は、取付基板の取付面の背面で内側窓の縦框に取り付けられる。電源収容部には、駆動電源を収容しておく。係合部材は、施錠位置のフックと係合するよう外側窓の縦框に取り付けられる。
【０００８】
本考案に係る窓用電子錠は、駆動装置、電源収容部およびフックが制御基板と取付基板との間に配置されているので、制御基板に要する面積分だけ取付面を小さくすることができる。このため、框からはみ出さないよう取付面の長さや幅を小さく設計することにより、框の幅が細い窓や小さい窓にも取り付けることができる。
【０００９】
窓を施錠するときは、駆動装置によりフックを取付面の範囲から突出する施錠位置に作動させて、係合部材と係合させる。窓を解錠するときは、駆動装置によりフックを取付面の範囲に引込む解錠位置に作動させて、係合部材との係合をはずす。こうして、制御基板により制御信号に応じて駆動装置を制御することにより、窓の施錠および解錠を行うことができる。
【００１０】
本考案に係る窓用電子錠で、前記駆動装置は電動で伸縮可能な駆動部を有し、前記駆動部を前記取付面の中心線に沿って伸縮可能に前記取付面に取り付けられ、前記フックは前記駆動部の伸縮運動に応じて前記施錠位置と前記解錠位置とに作動可能であり、前記取付面は前記フックを前記施錠位置で前記取付面の前記中心線を挟んだ両側のうち一方から突出させるための第１取付部と、他方から突出させるための第２取付部とを有することが好ましい。この構成では、フックを第１取付部または第２取付部に取り付けることにより、取付面の中心線を挟んだ両側のうちどちら側からでもフックを突出させ、施錠することができる。このため、外側窓が右側で内側窓が左側の場合だけでなく、外側窓が左側で内側窓が右側の場合にも対応して使用することができる。
【００１１】
本考案に係る窓用電子錠は、固定板を有し、前記固定板は細長い板材から成り支持面の背面で内側窓の縦框にその長さ方向に沿って取付可能に構成され、前記支持面は支持部と固定部とを有し、前記取付基板は前記固定板の長さ方向に位置を調節して前記支持部により支持可能であり、その位置で前記固定部に固定可能であることが好ましい。この構成では、内側窓の縦框の長さ方向に沿って施錠装置の取付位置を調節して取り付けることができるので、施錠位置のフックを係合部材と係合させる位置の調節が容易である。
【考案の効果】
【００１２】
本考案によれば、框の幅が細い窓や小さい窓にも、框からはみ出すことなく取り付けることのできる窓用電子錠を提供することができる。
【考案を実施するための最良の形態】
【００１３】
以下、図面に基づき本考案の実施の形態について説明する。
図１乃至図６は、本考案の実施の形態の窓用電子錠を示している。
図１乃至図６に示すように、窓用電子錠は、施錠装置１と固定板２とカバー３と係合部材（図示せず）とから成る。
図１乃至図３に示すように、施錠装置１は、取付基板１０と駆動装置２０とフック３０と制御基板４０と電源収容部５０とを有している。
【００１４】
図１および図２に示すように、取付基板１０は、細長い矩形状であって、一方の面が取付面１１となっている。取付基板１０は、取付面１１から垂直に伸びる制御基板支持部１２を端部に有している。取付基板１０は、中央１１ａおよび一端１１ｂ寄りの位置に貫通する２つのスライド固定孔１３を有している。各スライド固定孔１３は、円形の円形部１３ａと円形部１３ａから一端１１ｂに向かって伸びる細長い溝部１３ｂとから成っている。
【００１５】
また、図２（ａ）に示すように、取付基板１０は、中央１１ａと他端１１ｃとの間に４つの駆動部固定孔１４を有し、一端１１ｂおよび他端１１ｃの縁部に固定用切込部１５，１６を有している。さらに、取付基板１０は、駆動部固定孔１４と他端１１ｃとの間に、互いに対角線の位置に配置された１対の第１取付孔１７ａ，１７ｂと１対の第２取付孔１８ａ，１８ｂとを有している。図１（ａ）および（ｂ）に示すように、各制御基板支持部１２は、カバー固定孔１２ａを有し、先端１２ｂが取付面１１と平行に対向するよう垂直に折れ曲がっている。先端１２ｂは、中央に基板固定孔１２ｃを有している。
【００１６】
図１および図２に示すように、駆動装置２０は、電動装置から成り、取付面１１の範囲内に収納可能で、制御基板支持部１２の高さより低い大きさを有している。駆動装置２０は、電動で伸縮可能な駆動部２１を有している。駆動装置２０は、２つの駆動部固定孔１４に挿入されたネジ２２により取付面１１に取り付けられ、駆動部２１を取付面１１の中心線に沿って伸縮可能となっている。
【００１７】
図１および図２に示すように、フック３０は、固定用部材３１と突出用部材３２とを有している。固定用部材３１は、駆動装置２０の駆動部２１の先端２１ａと、取付面１１の一方の第１取付孔１７ａとに回転可能に取り付けられている。突出用部材３２は、駆動装置２０の駆動部２１の先端２１ａと、取付面１１の他方の第１取付孔１７ｂとに回転可能に取り付けられている。突出用部材３２は、先端にフック状係合部３３を有している。
【００１８】
図２（ｂ）に示すように、フック３０は、駆動装置２０の駆動部２１が縮んだとき、突出用部材３２のフック状係合部３３が、取付面１１の中心線を挟んだ両側のうち一方１１ｄから突出する施錠位置に位置し、固定用部材３１が取付面１１の範囲内で回転して突出用部材３２を施錠位置で固定するようになっている。また、図１（ｂ）に示すように、フック３０は、駆動部２１が伸びたとき、固定用部材３１が取付面１１の範囲内で回転して突出用部材３２を開放し、突出用部材３２が取付面１１の範囲に引込む解錠位置に位置するようになっている。なお、フック３０は、固定用部材３１を取付面１１の一方の第２取付孔１８ａに回転可能に取り付け、突出用部材３２を取付面１１の他方の第２取付孔１８ｂに回転可能に取り付けることにより、突出用部材３２のフック状係合部３３を、一方１１ｄと取付面１１の中心線を挟んで反対側の他方１１ｅから突出させることができる。
【００１９】
図３に示すように、制御基板４０は、細長い矩形状であって、取付面１１とほぼ同じ大きさの電子部品装着面４１を有している。制御基板４０は、電子部品装着面４１に電子部品を配置し、制御信号に応じて駆動装置２０の駆動部２１の伸縮動作を制御可能に構成されている。制御基板４０は、四隅に取付固定孔４２を有している。また、制御基板４０は、電子部品装着面４１の中央４０ａに駆動装置２０の駆動部２１を手動で制御するための手動ボタン４３を有している。
【００２０】
図３に示すように、電源収容部５０は、制御基板４０の範囲内に収納可能で、取付面１１の制御基板支持部１２の高さより低い大きさを有している。電源収容部５０は、駆動装置２０の駆動電源５１を収容可能である。電源収容部５０は、制御基板４０の中央４０ａから一端４０ｂの範囲で電子部品装着面４１の背面４４に、制御基板４０を貫通するネジ５２で固定されている。電源収容部５０は、一方の側部４０ｄから駆動電源５１を着脱可能となっている。
【００２１】
図６（ｂ）に示すように、制御基板４０は、電子部品装着面４１の背面４４が取付基板１０の取付面１１と対向するよう取付基板１０に取り付けられている。制御基板４０は、各取付固定孔４２と各基板固定孔１２ｃとに挿入されたネジ４５により、取付基板１０の各先端１２ｂに固定されている。制御基板４０は、取付基板１０との間に駆動装置２０と電源収容部５０とフック３０とを収容して、取付基板１０に取り付けられている。
【００２２】
図４に示すように、固定板２は、取付基板１０よりやや大きな細長い板材から成っている。固定板２は、四隅に取付孔６１を有し、片面が取付基板１０を支持する支持面６２となっている。固定板２は、各取付孔６１に取付ネジを挿入して、支持面６２の背面６３で内側窓の縦框に、その長さ方向に沿って取付可能である。固定板２は、支持面６２の一端６２ｂおよび他端６２ｃに固定孔６４，６５を有し、中央６２ａおよび一端６２ｂ寄りの位置に円板状係合部６６を有している。また、固定板２は、支持面６２の中央６２ａと他端６２ｃとの間に２本の平行な溝孔６７を有している。
【００２３】
固定孔６４，６５は、取付基板１０の固定用切込部１５の幅より小さい孔から成り、固定用ネジ６４ａ，６５ａを挿入可能である。円板状係合部６６は、接続部６６ａと頭部６６ｂとから成っている。接続部６６ａは取付基板１０の溝部１３ｂの幅より小さい径を有し、頭部６６ｂは溝部１３ｂの幅より大きく円形部１３ａの径より小さい径を有して接続部６６ａにより支持面６２に一体的に接続されている。
【００２４】
図６に示すように、取付基板１０は、各円形部１３ａに各円板状係合部６６の頭部６６ｂを挿入させ、溝部１３ｂに接続部６６ａを挿入させて固定板２に取り付けられ、固定板２に対してスライドさせて長さ方向に位置を調節可能となっている。このとき、取付基板１０は、各円板状係合部６６により支持される。取付基板１０は、固定用切込部１５を通して固定用ネジ６４ａを固定孔６４に螺合させ、固定用切込部１６を通して固定用ネジ６５ａを固定孔６５に螺合させて固定板２に固定される。
【００２５】
図５に示すように、カバー３は、細長い直方体状の外形を成し、開口部７１を有している。カバー３は、電源収容部５０に対応する位置に駆動電源５１を交換するための開閉蓋７２を有し、フック３０が突出する位置にフック用孔７３を有している。さらに、カバー３は、制御基板４０の手動ボタン４３に対応する位置に押しボタン部７４を有し、その両端側に複数のスリット７５を有している。カバー３は、取付基板１０、駆動装置２０、フック３０、制御基板４０および電源収容部５０を覆い、開口部７１が固定板２で閉じられている。カバー３は、取付基板１０のカバー固定孔１２ａに対応する固定用孔７６を有し、固定用孔７６からカバー固定孔１２ａに挿入されたネジにより取付基板１０に固定されている。なお、カバー３は、取付基板１０に取り付けたまま固定用ネジ６４ａ，６５ａを螺合可能に、ネジ用蓋７７を有している。
【００２６】
係合部材は、施錠位置のフック３０のフック状係合部３３と係合するよう、外側窓の縦框に取付可能である。
なお、具体的な一例で、窓用電子錠は、幅が３０ｍｍ、長さが１５０ｍｍである。
【００２７】
次に、作用について説明する。
窓用電子錠は、建物への侵入を防ぐ防犯対策として、引き違い窓に取り付けられ、クレセント錠の補助錠として使用される。窓用電子錠は、固定板２の支持面６２の背面６３で内側窓の縦框に取り付けられる。電源収容部５０には、駆動電源５１を収容しておく。係合部材は、施錠位置のフック３０と係合するよう外側窓の縦框に取り付けられる。施錠装置１は、固定板２により、内側窓の縦框の長さ方向に沿って施錠装置１の取付位置を調節して取り付けることができる。このため、施錠位置のフック３０が係合部材と係合するよう、位置の調節が容易である。
【００２８】
窓用電子錠は、駆動装置２０、電源収容部５０およびフック３０が制御基板４０と取付基板１０との間に配置されているので、制御基板４０に要する面積分だけ取付面１１を小さくすることができる。このため、框からはみ出さないよう取付面１１の長さや幅を小さく設計することにより、框の幅が細い窓や小さい窓にも取り付けることができる。
【００２９】
窓を施錠するときには、駆動装置２０によりフック３０を施錠位置にして取付面１１の範囲から突出させ、係合部材と係合させる。窓を解錠するときには、駆動装置２０によりフック３０を解錠位置にして取付面１１の範囲に引込ませ、係合部材との係合をはずす。こうして、制御基板４０により制御信号に応じて駆動装置２０を制御することにより、窓の施錠および解錠を行うことができる。
【００３０】
窓用電子錠は、フック３０を第１取付孔１７ａ，１７ｂまたは第２取付孔１８ａ，１８ｂに取り付けることにより、取付面１１の中心線を挟んだ両側１１ｄ，１１ｅの任意の一方側からフック３０を突出させ、施錠することができる。このため、外側窓が右側で内側窓が左側の場合だけでなく、外側窓が左側で内側窓が右側の場合にも対応して使用することができる。これにより、例えば、４枚サッシに取り付けても、上下逆にすることなく窓用電子錠を取り付けることができる。
【図面の簡単な説明】
【００３１】
【図１】本考案の実施の形態の窓用電子錠の施錠装置の取付基板、駆動装置およびフックを示す（ａ）平面図、（ｂ）正面図、（ｃ）右側面図である。
【図２】図１に示す窓用電子錠の取付基板、駆動装置およびフックを示す（ａ）背面図、（ｂ）フックが施錠位置のときの正面図である。
【図３】本考案の実施の形態の窓用電子錠の施錠装置の制御基板および電源収容部を示す（ａ）平面図、（ｂ）正面図、（ｃ）右側面図である。
【図４】本考案の実施の形態の窓用電子錠の固定板を示す（ａ）正面図、（ｂ）右側面図、（ｃ）底面図である。
【図５】本考案の実施の形態の窓用電子錠のカバーを示す（ａ）平面図、（ｂ）正面図、（ｃ）右側面図である。
【図６】本考案の実施の形態の窓用電子錠を示す（ａ）取付基板に固定板を取り付けた状態の正面図、（ｂ）施錠装置の右側面図である。
【符号の説明】
【００３２】
１    施錠装置
２    固定板
３    カバー
１０  取付基板
１１  取付面
１２  制御基板支持部
１３  スライド固定孔
１３ａ  挿入孔
１３ｂ  スライド孔
１４  駆動部固定孔
１５，１６  固定用切込部
１７ａ，１７ｂ  第１取付部
１８ａ，１８ｂ  第２取付部
２０  駆動装置
２１  駆動部
３０  フック
３１  固定用部材
３２  突出用部材
３３  フック状係合部
４０  制御基板
４１  電子部品装着面
４２  取付固定孔
４３  手動ボタン
５０  電源収容部
５１  駆動電源
６１  取付孔
６２  支持面
６４，６５  固定孔
６４ａ，６５ａ  固定用ネジ
６６  円板状係合部
６６ａ  接続部
６６ｂ  頭部
【図１】
0003110270.tif 000003
【図２】
0003110270.tif 000004
【図３】
0003110270.tif 000005
【図４】
0003110270.tif 000006
【図５】
0003110270.tif 000007
【図６】
0003110270.tif 000008